(57)【要約】【課題】画像が正常に形成されずにデータが書き込まれた状態の結果物が作成されるのを防ぐことが可能な画像形成システムを提供する。【解決手段】ＲＦＩＤタグ付き用紙に対する画像形成が正常に終了すると判断された場合には、ＲＦＩＤタグに対するＲＦＩＤデータの書き込みを実行させ、画像形成が正常に終了しないと判断された場合にはＲＦＩＤデータの書き込みを規制する。これにより、画像が正常に形成されず、ＲＦＩＤデータのみが書き込まれた状態の結果物が作成されるのを防ぐことができる。【選択図】図３
2010154164.tif 000002
【特許請求の範囲】
【請求項１】
記憶部が添付された画像形成媒体の前記記憶部に記憶データを書き込む書込手段と、
前記画像形成媒体上に画像形成を行う形成手段と、
前記形成手段による画像形成が正常に終了するか否かを判断する判断手段と、
前記判断手段により前記画像形成媒体に対する画像形成が正常に終了すると判断された場合に、前記書込手段による当該画像形成媒体の記憶部に対する前記記憶データの書き込みを実行させ、前記画像形成が正常に終了しないと判断された場合に、前記書込手段による前記記憶データの書き込みの実行を規制する制御手段と、
を備える画像形成システム。
【請求項２】
請求項１に記載の画像形成システムにおいて、
記憶部が添付された原稿の前記記憶部から前記記憶データを取得する取得手段と、
前記原稿の画像を読み取って画像データを取得する画像読取手段と、
を備え、
前記制御手段は、前記画像読取手段により取得された前記画像データに基づく画像形成が正常に終了すると判断されたことを条件として、前記取得手段により取得された前記記憶データの書き込みを実行させる。
【請求項３】
請求項２に記載の画像形成システムにおいて、
当該画像形成システムは、互いにファクシミリ通信が可能なファクシミリ送信機とファクシミリ受信機とを備えており、
前記ファクシミリ送信機は、前記取得手段、及び前記画像読取手段を有し、
前記ファクシミリ受信機は、前記書込手段、前記形成手段、及び前記判断手段を有し、
前記制御手段は、前記ファクシミリ送信機及び前記ファクシミリ受信機のうち少なくとも一方に設けられ、かつ、前記ファクシミリ送信機から前記ファクシミリ受信機へ送信された画像データに基づく画像形成が前記判断手段により正常に終了すると判断されたことを条件として、前記ファクシミリ送信機から前記ファクシミリ受信機へ前記記憶データを送信させ、当該記憶データの書き込みを実行させる。
【請求項４】
記憶部が添付された画像形成媒体の前記記憶部に対し記憶データの書き込み及び消去が可能な書込手段と、
前記画像形成媒体上に画像形成を行う形成手段と、
前記形成手段による前記画像形成が正常に終了するか否かを判断する判断手段と、
前記書込手段により画像形成媒体の記憶部に対する前記記憶データの書き込みを行った後に、前記判断手段により画像形成が正常に終了しないと判断された場合、前記書込手段により当該画像形成媒体の記憶部に書き込まれた前記記憶データを消去させる制御手段と、
を備える画像形成システム。
【請求項５】
請求項４に記載の画像形成システムにおいて、
記憶部が添付された原稿の前記記憶部から前記記憶データを取得する取得手段と、
前記原稿の画像を読み取って画像データを取得する画像読取手段と、
を備え、
前記制御手段は、前記取得手段により取得された前記記憶データの書き込みを実行させた後、前記画像読取手段により取得された前記画像データに基づく画像形成が正常に終了しないと判断されたことを条件として、前記記憶データを消去させる。
【請求項６】
請求項５に記載の画像形成システムにおいて、
当該画像形成システムは、互いにファクシミリ通信が可能なファクシミリ送信機とファクシミリ受信機とを備えており、
前記ファクシミリ送信機は、前記データ取得手段、及び前記画像読取手段を有し、
前記ファクシミリ受信機は、前記書込手段、前記形成手段、前記判断手段及び前記制御手段を有し、
前記制御手段は、前記ファクシミリ送信機から前記ファクシミリ受信機へ送信された記憶データの書き込みを実行させた後、前記ファクシミリ受信機へ送信された画像データに基づく画像形成が正常に終了しないと判断されたことを条件として、前記記憶データを消去させる。
【請求項７】
請求項３または請求項６に記載の画像形成システムにおいて、
前記ファクシミリ送信機は、前記データ取得手段により取得した記憶データを記憶する記憶手段を有し、
前記ファクシミリ受信機は、前記書込手段による書き込み及び前記形成手段による画像形成のうち少なくとも一方が実行可能な状態か実行不能な状態かを判定する判定手段を有し、
さらに、前記ファクシミリ送信機及び前記ファクシミリ受信機のうち少なくとも一方は、前記判定手段により実行不能と判定された場合に、前記画像読取手段により取得した画像データを前記ファクシミリ送信機から前記ファクシミリ受信機へ送信させて通信を切断し、その後、前記判定手段により実行可能と判定された状態で通信が再開された場合に、前記画像データに対応する記憶データを前記記憶手段から読み出して送信させる通信制御手段を有する。
【発明の詳細な説明】
【技術分野】
【０００１】
本発明は、画像形成システムに関し、特に記憶部付きの画像形成媒体に対し画像の印刷とデータの書き込みとを行う画像形成システムに関する。
【背景技術】
【０００２】
近年、ＲＦＩＤ（Radio Frequency IDentification）タグと呼ばれるＩＣチップ（記憶部）付きの用紙（画像形成媒体）に対し、画像の印刷を行うとともに、ＲＦＩＤタグに対するデータの書き込みを行う画像形成システムが開発されている。例えば、ファクシミリ送信機とファクシミリ受信機とからなる画像形成システムとして、次のような技術が知られている（特許文献１参照）。
【０００３】
この画像形成システムでは、ファクシミリ送信機側でＲＦＩＤタグ付き原稿を読み取って画像データを取得するとともに、ＲＦＩＤタグに記憶されたＲＦＩＤデータを読み出し、両データを送信する。そして、ファクシミリ受信機側で、それらのデータを受信し、ＲＦＩＤタグ付きの用紙に対し画像データに基づく画像を印刷するとともに、そのＲＦＩＤタグにＲＦＩＤデータを書き込む。
【特許文献１】特開２００２−３３７４２６公報
【発明の開示】
【発明が解決しようとする課題】
【０００４】
しかしながら、従来の技術では、用紙のジャムが発生した場合などに、画像の印刷が正常に行われず、ＲＦＩＤデータだけがＲＦＩＤタグに書き込まれた状態の結果物が作成される可能性がある。この場合、RFIDデータだけを持つ、所望されたのと異なる形態の結果物が存在することになり、好ましくない。
【０００５】
本発明は上記のような事情に基づいて完成されたものであって、画像が正常に形成されずにデータが書き込まれた状態の結果物が作成されるのを防ぐことが可能な画像形成システムを提供することを目的とする。
【課題を解決するための手段】
【０００６】
上記の目的を達成するための手段として、第１の発明に係る画像形成システムは、記憶部が添付された画像形成媒体の前記記憶部に記憶データを書き込む書込手段と、前記画像形成媒体上に画像形成を行う形成手段と、前記形成手段による画像形成が正常に終了するか否かを判断する判断手段と、前記判断手段により前記画像形成媒体に対する画像形成が正常に終了すると判断された場合に、前記書込手段による当該画像形成媒体の記憶部に対する前記記憶データの書き込みを実行させ、前記画像形成が正常に終了しないと判断された場合に、前記書込手段による前記記憶データの書き込みの実行を規制する制御手段と、を備える。
【０００７】
第１の発明によれば、記憶部付き画像形成媒体に対する画像形成が正常に終了すると判断された場合には記憶部に対する記憶データの書き込みを実行させ、画像形成が正常に終了しないと判断された場合には記憶データの書き込みを規制する。これにより、画像が正常に形成されず、記憶データのみが書き込まれた状態の結果物が作成されるのを防ぐことができる。
【０００８】
第２の発明は、第１の発明において、記憶部が添付された原稿の前記記憶部から前記記憶データを取得する取得手段と、前記原稿の画像を読み取って画像データを取得する画像読取手段と、を備え、前記制御手段は、前記画像読取手段により取得された前記画像データに基づく画像形成が正常に終了すると判断されたことを条件として、前記取得手段により取得された前記記憶データの書き込みを実行させる。
【０００９】
第２の発明によれば、読取手段により取得された画像データに基づく画像形成が正常に終了すると判断されたことを条件として、取得手段により取得された記憶データの書き込みを実行する。これにより、記憶部付きの原稿から読み取った画像及び記憶データの両方の複製を作成する際に、画像が正常に形成されずに、記憶データのみが書き込まれた状態の複製が作成されるのを防ぐことができる。
【００１０】
第３の発明は、第２の発明において、当該画像形成システムは、互いにファクシミリ通信が可能なファクシミリ送信機とファクシミリ受信機とを備えており、前記ファクシミリ送信機は、前記取得手段及び前記画像読取手段を有し、前記ファクシミリ受信機は、前記書込手段、前記形成手段、及び前記判断手段を有し、前記制御手段は、前記ファクシミリ送信機及び前記ファクシミリ受信機のうち少なくとも一方に設けられ、かつ、前記ファクシミリ送信機から前記ファクシミリ受信機へ送信された画像データに基づく画像形成が前記判断手段により正常に終了すると判断されたことを条件として、前記ファクシミリ送信機から前記ファクシミリ受信機へ前記記憶データを送信させ、当該記憶データの書き込みを実行させる。
【００１１】
第３の発明によれば、先にファクシミリ送信機からファクシミリ受信機へ送信された画像データに基づく画像形成が正常に終了すると判断されたことを条件として、受信機側に記憶データを送信させ、その記憶データの書き込みを実行させる。仮に画像データと記憶データの両方を受信機側へ送信した後に、画像が正常に形成されなかった場合には、記憶データのみの複製が作成されるおそれがあるが、本構成によれば、画像形成が正常に終了しないと判断された場合には記憶データが送信されないため、ファクシミリ受信機側で記憶データのみの複製が作成されることを防止できる。
【００１２】
第４の発明は、記憶部が添付された画像形成媒体の前記記憶部に対し記憶データの書き込み及び消去が可能な書込手段と、前記画像形成媒体上に画像形成を行う形成手段と、前記形成手段による前記画像形成が正常に終了するか否かを判断する判断手段と、前記書込手段により画像形成媒体の記憶部に対する前記記憶データの書き込みを行った後に、前記判断手段により画像形成が正常に終了しないと判断された場合、前記書込手段により当該画像形成媒体の記憶部に書き込まれた前記記憶データを消去させる制御手段と、を備える画像形成システム。
【００１３】
第４の発明によれば、記憶部付き画像形成媒体に対する画像形成が正常に終了しないと判断された場合に、記憶部に書き込んだ記憶データを消去する。これにより、画像が正常に形成されず、記憶データのみが書き込まれた状態の結果物が作成されるのを防ぐことができる。
【００１４】
第５の発明は、第４の発明において、記憶部が添付された原稿の前記記憶部から前記記憶データを取得する取得手段と、前記原稿の画像を読み取って画像データを取得する画像読取手段と、を備え、前記制御手段は、前記取得手段により取得された前記記憶データの書き込みを実行させた後、前記画像読取手段により取得された前記画像データに基づく画像形成が正常に終了しないと判断されたことを条件として、前記記憶データを消去させる。
【００１５】
第５の発明によれば、取得された記憶データの書き込みとを実行させ、読取手段により取得された画像データに基づく画像形成が正常に終了しないと判断されたことを条件として、記憶データの消去を実行する。これにより、記憶部付きの原稿から読み取った画像及び記憶データの両方の複製を作成する際に、画像が正常に形成されずに、記憶データのみが書き込まれた状態の複製が作成されるのを防ぐことができる。
【００１６】
第６の発明は、第５の発明において、当該画像形成システムは、互いにファクシミリ通信が可能なファクシミリ送信機とファクシミリ受信機とを備えており、前記ファクシミリ送信機は、前記取得手段及び前記画像読取手段を有し、前記ファクシミリ受信機は、前記書込手段、前記形成手段、前記判断手段及び前記制御手段を有し、前記制御手段は、前記ファクシミリ送信機から前記ファクシミリ受信機へ送信された記憶データの書き込みを実行させた後、前記ファクシミリ受信機へ送信された画像データに基づく画像形成が正常に終了しないと判断されたことを条件として、前記記憶データを消去させる。
【００１７】
第６の発明によれば、ファクシミリ送信機から送信された記憶データの書き込みを実行させた後、同じくファクシミリ送信機から送信された画像データに基づく画像形成が正常に終了しないと判断されたことを条件として記憶データを消去させる。これにより、記憶データのみの複製が作成されることを防止できる。
【００１８】
第７の発明は、第３または第６の発明において、前記ファクシミリ送信機は、前記取得手段により取得した記憶データを記憶する記憶手段を有し、前記ファクシミリ受信機は、前記書込手段による書き込み及び前記形成手段による画像形成のうち少なくとも一方が実行可能な状態か実行不能な状態かを判定する判定手段を有し、さらに、前記ファクシミリ送信機及び前記ファクシミリ受信機のうち少なくとも一方は、前記判定手段により実行不能と判定された場合に、前記画像読取手段により取得した画像データを前記ファクシミリ送信機から前記ファクシミリ受信機へ送信させて通信を切断し、その後、前記判定手段により実行可能と判定された状態で通信が再開された場合に、前記画像データに対応する記憶データを前記記憶手段から読み出して送信させる通信制御手段を有する。
【００１９】
第７の発明によれば、ファクシミリ受信機において記憶データの書き込みまたは画像形成が実行不能な状態であった場合には、画像データを送信させた後に通信を切断し、その後、実行可能な状態で通信が再開されたときに、画像データに対応する記憶データを記憶手段から読み出して送信させる。これにより、受信機側で書き込みや画像形成ができない場合（記憶部付きの用紙が無い場合や、インク若しくはトナーが切れた場合等）には、送信機側から記憶データが送信されないため、受信機側で記憶データのみが単独で利用されることを防止できる。また、画像データのみを先に受信機側に送信しておくために、送信機側では、画像データを記憶しておく必要が無く、従って記憶手段の使用量を抑えることができる。
【発明の効果】
【００２０】
本発明によれば、記憶部付き画像形成媒体に対する画像形成が正常に終了すると判断された場合には記憶部に対する記憶データの書き込みを実行させ、画像形成が正常に終了しないと判断された場合には記憶データの書き込みを規制する。あるいは、記憶部付き画像形成媒体に対する画像形成が正常に終了しないと判断された場合には記憶部に書き込んだ記憶データを消去する。これにより、画像が正常に形成されず、記憶データのみが書き込まれた状態の結果物が作成されるのを防ぐことができる。
【発明を実施するための最良の形態】
【００２１】
＜実施形態１＞
次に本発明の実施形態１について図１から図４を参照して説明する。
（ファクシミリ通信システムの全体構成）
図１は、本発明の画像形成システムの一例であるファクシミリ通信システムの全体構成を概略的に示すブロック図である。
【００２２】
このファクシミリ通信システムは、同図に示すように、ファクシミリ通信機能の他にプリンタ機能、スキャナ機能、コピー機能等を有する２台の複合機１０Ａ，１０Ｂを含んで構成されている。両複合機１０Ａ，１０Ｂは、互いに実質同一の構成であって、互いにファクシミリデータの送受信が可能であるが、本実施形態では、複合機１０Ａからファクシミリデータを送信し、複合機１０Ｂにてそのファクシミリデータを受信するものとする。以下、複合機１０Ａを送信側複合機１０Ａ（ファクシミリ送信機の一例）、複合機１０Ｂを受信側複合機１０Ｂ（ファクシミリ受信機の一例）ともいう。
【００２３】
各複合機１０Ａ，１０Ｂは、ＣＰＵ１１、ＲＯＭ１２、ＲＡＭ１３、ＮＶＲＡＭ（不揮発性メモリ）１４、ネットワークインターフェイス１５、ファクシミリインターフェイス１６、操作部１８、表示部１９、画像形成部３９、原稿読取部３２、ＲＦＩＤリーダ３３、ＲＦＩＤセンサ３７、ＲＦＩＤライタ４０等を備えている。
【００２４】
ＲＯＭ１２には、後述するファクシミリ送信処理やファクシミリ受信処理など、複合機１０Ａ，１０Ｂの動作を実行するための各種プログラムが記憶されており、ＣＰＵ１１（制御手段、判断手段、判定手段、通信制御手段の一例）は、ＲＯＭ１２から読み出したプログラムに従って、その処理結果をＲＡＭ１３またはＮＶＲＡＭ１４に記憶させながら各部の制御を行う。ネットワークインターフェイス１５は、ＬＡＮなどのネットワーク回線を介して外部のコンピュータ（図示せず）等に接続され、これにより相互のデータ通信が可能となっている。ファクシミリインターフェイス１６は、公衆電話網２０を介してファクシミリ通信機能を有する他の機器と接続し、ファクシミリデータの送受信を行うことが可能である。
【００２５】
操作部１８は、複数のボタンを備え、ユーザにより各種の指示の入力が可能である。表示部１９は、ディスプレイやランプ等を備え、各種の設定画面や装置の動作状態等を表示することが可能である。画像形成部３９、原稿読取部３２、ＲＦＩＤリーダ３３、ＲＦＩＤセンサ３７、ＲＦＩＤライタ４０については後述する。
【００２６】
（複合機の内部構成）
図２は、複合機１０Ａ，１０Ｂの内部構成を示す概略断面図である。
複合機１０Ａ，１０Ｂは、同図に示すように、原稿３０を載置可能な原稿載置部３１を備えており、原稿載置部３１の下方には、載置された原稿３０を走査して光学的に読み取り、画像データを出力する原稿読取部３２（画像読取手段の一例）が設けられている。さらに、原稿載置部３１の下方には、原稿３０に添付されたＲＦＩＤタグ３０Ａ（記憶部の一例）と電波により通信を行うことで、ＲＦＩＤタグ３０Ａに記憶されたデータ（記憶データの一例、ＲＦＩＤデータという）を取得するＲＦＩＤリーダ３３（取得手段の一例）が設けられている。
【００２７】
また、複合機１０Ａ，１０Ｂは、複数の用紙３５（画像形成媒体の一例）を積載可能な供給トレイ３６を備えている。なお、用紙としては、ＲＦＩＤタグ３５Ａ（記憶部の一例）付きの用紙３５、若しくはＲＦＩＤタグ３５Ａが添付されていない用紙３５が使用される。供給トレイ３６の近傍には、ＲＦＩＤセンサ３７が配置されている。ＲＦＩＤセンサ３７は、例えばＲＦＩＤリーダであり、検知信号を発信し、その応答の有無により供給トレイ３６にＲＦＩＤタグ３５Ａ付きの用紙３５が積載されているか否かを検知する。
【００２８】
供給トレイ３６に積載された用紙３５は、１枚ずつ画像形成部３９による画像形成位置に搬送される。画像形成部３９（形成手段の一例）は、１色または複数色の着色剤（インクやトナー）を用いて用紙３５上に画像を形成する。画像が形成された用紙３５は、次いでＲＦＩＤライタ４０によるアクセス位置を経て、排出ローラ４１により排出トレイ４２上に排出される。ＲＦＩＤライタ４０（書込手段の一例）は、画像形成部３９の画像形成位置から排出トレイ４２上までの経路上にある用紙３５に添付されたＲＦＩＤタグ３５Ａと電波により通信を行い、ＲＦＩＤタグ３５Ａにデータを書き込むことが可能である。
【００２９】
（ファクシミリ送信処理）
次に送信側複合機１０Ａにおいて実行されるファクシミリ送信処理の動作について、説明する。図３は、ファクシミリ送信処理の流れを示すフローチャートである。
【００３０】
ファクシミリ送信処理は、送信側複合機１０Ａにおいて、ユーザが原稿載置部３１にＲＦＩＤタグ３０Ａ付きの原稿３０をセットし、操作部１８から送信先の情報とともにＲＦＩＤデータ付きのファクシミリ送信開始の指示を入力することにより実行される。ＣＰＵ１１は、ファクシミリ送信処理を開始すると、図３に示すように、原稿読取部３２により原稿３０の読み取りを行って画像データを取得するとともに、ＲＦＩＤタグ３０ＡからＲＦＩＤデータを読み出し、それらのデータをＲＡＭ４２等に記憶する（Ｓ１０１）。なお、原稿３０のＲＦＩＤタグ３０Ａに記憶されるＲＦＩＤデータとしては、例えば原稿３０を識別するための識別情報や、原稿画像のデータなどが含まれる。
【００３１】
続いて、ＣＰＵ１１は、ファクシミリインターフェイス１６により交換機（図示せず）を介して相手側の装置（ここでは受信側複合機１０Ｂ）を呼び出し、通信を開始する（Ｓ１０２）。そして、受信側複合機１０Ｂとの間で通信能力情報の交換を行う（Ｓ１０３）。ここでは、相互の通信能力に基づいて通信方式（通信速度等）の決定を行うほか、受信側複合機１０Ｂから現在ＲＦＩＤデータの受信及び書き込みが可能な状態であるか否かを示すＲＦＩＤ受信可否情報を受け取る。
【００３２】
次に、ＣＰＵ１１は、原稿３０から読み取った画像データを受信側複合機１０Ｂへ送信する（Ｓ１０４）。そして、ＲＦＩＤ受信可否情報において、受信側複合機１０ＢがＲＦＩＤデータの受信及び書き込みが可能な状態であれば（Ｓ１０５：Ｙｅｓ）、受信側複合機１０Ｂから画像データの印刷後に送信される印刷結果通知を受信する（Ｓ１０６）。この印刷結果通知には、画像データの印刷が正常に終了したか否かについての情報が含まれている。
【００３３】
そして、ＣＰＵ１１は、印刷結果通知に基づいて受信側複合機１０Ｂで画像データの印刷が正常に終了したかを判断し（Ｓ１０７）、印刷が正常に終了した場合（Ｓ１０７：Ｙｅｓ）には、先に送信した画像データに対応するＲＦＩＤデータを送信する（Ｓ１０８）。また、受信側複合機１０Ｂにおいて画像データの印刷が正常に終了していない場合（Ｓ１０７：Ｎｏ）には、ＲＦＩＤデータの送信を行わない。これにより、受信側複合機１０ＢにおけるＲＦＩＤデータの書き込みが規制される。
【００３４】
また、ＣＰＵ１１は、Ｓ１０５にて、受信側複合機１０ＢがＲＦＩＤデータの受信及び書き込みが可能な状態でなかった場合（Ｓ１０５：Ｎｏ）にもＲＦＩＤデータの送信を行わない。その後、ＣＰＵ１１は、受信側複合機１０Ｂとの通信を終了し（Ｓ１０９）、このファクシミリ送信処理を終了する。
【００３５】
（ファクシミリ受信処理）
次に受信側複合機１０Ｂにおいて実行されるファクシミリ受信処理の動作について、説明する。図４は、ファクシミリ受信処理の流れを示すフローチャートである。
【００３６】
ファクシミリ受信処理は、受信側複合機１０Ｂにおいて、ファクシミリインターフェイス１６により交換機を介して相手の装置（ここでは送信側複合機１０Ａ）からの呼び出し（着信）を受けることにより開始される。ＣＰＵ１１は、図４に示すファクシミリ受信処理を開始すると、相手の送信側複合機１０Ａとの通信を開始し（Ｓ２０１）、送信側複合機１０Ａと通信能力情報の交換を行う（Ｓ２０２）。ここでは、現在ＲＦＩＤデータの受信及び書き込みが可能な状態であるかを判断し、その結果をＲＦＩＤ受信可否情報として送信側複合機１０Ａに送信する。
【００３７】
具体的には、例えば、ＲＦＩＤタグ３５Ａ付きの用紙３５が供給トレイ３６にセットされているかをＲＦＩＤセンサ３７により検知し、ＲＦＩＤタグ３５Ａ付き用紙３５がセットされている状態をＲＦＩＤデータの受信及び書き込み可能な状態であると判断し、ＲＦＩＤタグ３５Ａ付き用紙３５がセットされていない状態（ＲＦＩＤタグが添付されていない用紙３５がセットされている状態）をＲＦＩＤデータの受信及び書き込み不可の状態であると判断する。
【００３８】
続いて、ＣＰＵ１１は、送信側複合機１０Ａから送信される画像データを受信し（Ｓ２０３）、供給トレイ３６から送り出したＲＦＩＤタグ３５Ａ付き用紙３５上に画像形成部３９により画像データに基づく画像を印刷する（Ｓ２０４）。そして、Ｓ２０２で送信側複合機１０Ａに通知したＲＦＩＤ受信可否情報において、ＲＦＩＤデータの受信不可と通知した場合（Ｓ２０５：Ｎｏ）には、Ｓ２１１に進んで送信側複合機１０Ａとの通信を終了する。
【００３９】
また、ＲＦＩＤ受信可否情報において、ＲＦＩＤデータの受信可能と通知した場合（Ｓ２０５：Ｙｅｓ）には、画像の印刷が正常に終了したかを判断する（Ｓ２０６）。ここでは、画像の印刷が完了するまで（用紙３５が画像形成部３９による画像形成位置を通過するまで）に、用紙３５のジャムなどのエラーが発生した場合に印刷が正常に終了していないと判断する。
【００４０】
ＣＰＵ１１は、画像の印刷が正常に終了したと判断した場合（Ｓ２０６：Ｙｅｓ）には、印刷が正常に終了した旨を印刷結果として送信側複合機１０Ａに通知する（Ｓ２０７）。そして、その通知を受け取った送信側複合機１０Ａから送信されるＲＦＩＤデータを受信し（Ｓ２０８）、受信したＲＦＩＤデータをＲＦＩＤライタ４０により用紙３５のＲＦＩＤタグ３５Ａに書き込む（Ｓ２０９）。
【００４１】
また、画像の印刷が正常に終了しなかったと判断した場合（Ｓ２０６：Ｎｏ）には、印刷が正常に終了しなかった旨を印刷結果として送信側複合機１０Ａに通知し（Ｓ２１０）、Ｓ２１１に進み送信側複合機１０Ａとの通信を終了する。即ち、受信側複合機１０Ｂにおいて、画像の印刷が正常に完了しなかった場合には、送信側複合機１０ＡからＲＦＩＤデータを受けることができず、ＲＦＩＤデータの書き込みが行われない。
その後、ＣＰＵ１１は、送信側複合機１０Ａとの通信を終了した後（Ｓ２１１）、このファクシミリ受信処理を終了する。
【００４２】
（本実施形態の効果）
以上のように本実施形態によれば、ＲＦＩＤタグ３５Ａ付き用紙３５に対する画像形成が正常に終了すると判断された場合には、ＲＦＩＤタグ３５Ａに対するＲＦＩＤデータの書き込みを実行させ、画像形成が正常に終了しないと判断された場合にはＲＦＩＤデータの書き込みを規制する。これにより、画像が正常に形成されず、ＲＦＩＤデータのみが書き込まれた状態の結果物が作成されるのを防ぐことができる。
【００４３】
また、原稿読取部３２により取得された画像データに基づく画像形成が正常に終了すると判断されたことを条件として、ＲＦＩＤリーダ３３により取得されたＲＦＩＤデータの書き込みを実行する。これにより、ＲＦＩＤタグ３０Ａ付きの原稿３０から読み取った画像及びＲＦＩＤデータの両方の複製（ここではファクシミリ通信により送信された画像データが印刷され、ＲＦＩＤデータがＲＦＩＤタグ３５Ａに書き込まれた用紙３５を複製という）を作成する際に、画像が正常に形成されずに、ＲＦＩＤデータのみが書き込まれた状態の複製が作成されるのを防ぐことができる。
【００４４】
さらに、先に送信側複合機１０Ａから受信側複合機１０Ｂへ送信された画像データに基づく画像形成が正常に終了すると判断されたことを条件として、受信側複合機１０ＢへＲＦＩＤデータを送信させ、そのＲＦＩＤデータの書き込みを実行させる。仮に画像データとＲＦＩＤデータの両方を受信側複合機１０Ｂへ送信した後に、画像が正常に形成されなかった場合には、ＲＦＩＤデータのみの複製が作成されるおそれがあるが、本構成によれば、画像形成が正常に終了しないと判断された場合にはＲＦＩＤデータが送信されないため、受信側複合機１０ＢでＲＦＩＤデータのみの複製が作成されることを防止できる。
【００４５】
＜実施形態２＞
次に本発明の実施形態２について図５から図７を参照して説明する。
上記実施形態では、受信側で画像データの印刷が正常に終了しない場合には、ＲＦＩＤデータの送信を行わないものを示したが、本実施形態では、先に画像データとＲＦＩＤデータとを受信側に送信して、印刷と書き込みとを行い、印刷が正常に終了しない場合には書き込んだＲＦＩＤデータを消去するファクシミリ通信システムを示す。
【００４６】
（複合機の構成）
図５は、複合機１０Ｃの内部構成を示す概略断面図である。
本実施形態のファクシミリ通信システムは、図１に示す送信側複合機１０Ａと、図５に示す受信側複合機１０Ｃ（ファクシミリ受信機の一例）とから構成されている。なお、以下の説明において、上記実施形態と同様の構成には同一の符号を付して説明を省略する。
【００４７】
複合機１０Ｃは、画像形成部３９の画像形成位置の上流側に書込用ＲＦＩＤライタ４５（書込手段の一例）を備えている。この書込用ＲＦＩＤライタ４５は、供給トレイ３６から画像形成位置へ搬送される用紙３５のＲＦＩＤタグ３５Ａに対してデータを書き込む。また、画像形成位置の下流側には消去用ＲＦＩＤライタ４６（書込手段の一例）が設けられている。この消去用ＲＦＩＤライタ４６は、画像形成位置またはそれよりも下流側の位置にある用紙３５のＲＦＩＤタグ３５Ａと通信し、そのＲＦＩＤタグ３５Ａに書き込まれているデータを消去することが可能である。
【００４８】
（ファクシミリ送信処理）
図６は、送信側複合機１０Ａにおいて実行されるファクシミリ送信処理の流れを示すフローチャートである。
【００４９】
ファクシミリ送信処理は、送信側複合機１０Ａにおいて、ユーザが原稿載置部３１にＲＦＩＤタグ３０Ａ付きの原稿３０をセットし、操作部１８からＲＦＩＤデータ付きのファクシミリ送信開始の指示を入力することにより実行される。ＣＰＵ１１は、図６に示すファクシミリ送信処理を開始すると、原稿読取部３２により原稿３０の読み取りを行って画像データを取得するとともに、ＲＦＩＤタグ３０ＡからＲＦＩＤデータを読み出す（Ｓ３０１）。
【００５０】
続いて、ＣＰＵ１１は、相手側の装置（受信側複合機１０Ｃ）を呼び出し、通信を開始する（Ｓ３０２）。そして、受信側複合機１０Ｃとの間で通信能力情報の交換を行う（Ｓ３０３）。ここでは、相手の受信側複合機１０ＣからＲＦＩＤデータの受信可否情報を受け取る。そして、ＣＰＵ１１は、受信側複合機１０ＣがＲＦＩＤデータの受信及び書き込み可能な状態である場合（Ｓ３０４：Ｙｅｓ）には、ＲＦＩＤデータを送信する（Ｓ３０５）。また、受信側複合機１０ＣがＲＦＩＤデータの受信及び書き込み不可の状態である場合（Ｓ３０４：Ｎｏ）には、ＲＦＩＤデータの送信は行わない。
【００５１】
次に、ＣＰＵ１１は、画像データを受信側複合機１０Ｃへ送信する（Ｓ３０６）。そして、受信側複合機１０Ｃとの通信を終了し（Ｓ３０７）、このファクシミリ送信処理を終了する。
本実施形態のファクシミリ送信処理では、実施形態１のように相手からの印刷結果通知を待つことがないため、比較的短時間で処理を終えることができる。
【００５２】
（ファクシミリ受信処理）
図７は、受信側複合機１０Ｃにおいて実行されるファクシミリ受信処理の流れを示すフローチャートである。
【００５３】
ファクシミリ受信処理は、受信側複合機１０Ｃにおいて、相手の装置（送信側複合機１０Ａ）からの呼び出し（着信）を受けることにより開始される。ＣＰＵ１１は、ファクシミリ受信処理を開始すると、送信側複合機１０Ａとの通信を開始し（Ｓ４０１）、通信能力情報の交換を行う（Ｓ４０２）。ここで、現在受信側複合機１０ＣがＲＦＩＤデータの受信及び書き込みが可能な状態であるか否かを判断しＲＦＩＤデータの受信可否情報として送信側複合機１０Ａに通知する。
【００５４】
そして、ＣＰＵ１１は、ＲＦＩＤデータの受信不可と通知した場合（Ｓ４０３：Ｎｏ）には、送信側複合機１０Ａから送信される画像データを受信し（Ｓ４０４）、その画像データに基づく画像を画像形成部３９により用紙３５に印刷し（Ｓ４０５）、その後送信側複合機１０Ａとの通信を終了する（Ｓ４１２）。即ち、この場合には、ＲＦＩＤデータの送信及び書き込みは行われない。
【００５５】
また、ＣＰＵ１１は、ＲＦＩＤデータの受信可能と通知した場合（Ｓ４０３：Ｙｅｓ）には、送信側複合機１０Ａから送信されるＲＦＩＤデータを受信し（Ｓ４０６）、そのＲＦＩＤデータを書込用ＲＦＩＤライタ４５により用紙３５のＲＦＩＤタグ３５Ａに書き込む（Ｓ４０７）。続いて、送信側複合機１０Ａから送信される画像データを受信し（Ｓ４０８）、その画像データに基づく画像を画像形成部３９により用紙３５に印刷する（Ｓ４０９）。
【００５６】
そして、ＣＰＵ１１は、画像の印刷が正常に終了したかを判断し（Ｓ４１０）、印刷が正常に終了していない場合（Ｓ４１０：Ｎｏ）には、消去用ＲＦＩＤライタ４６により用紙３５のＲＦＩＤタグ３５Ａに書き込んだＲＦＩＤデータを消去する（Ｓ４１１）。画像の印刷が正常に終了した場合（Ｓ４１０：Ｙｅｓ）には、ＲＦＩＤデータの消去は行わない。
その後、ＣＰＵ１１は、送信側複合機１０Ａとの通信を終了し（Ｓ４１２）、このファクシミリ受信処理を終了する。
【００５７】
（本実施形態の効果）
以上のように本実施形態によれば、ＲＦＩＤタグ３５Ａ付き用紙３５に対する画像形成が正常に終了しないと判断された場合に、ＲＦＩＤタグ３５Ａに書き込んだＲＦＩＤデータを消去する。これにより、画像が正常に形成されず、ＲＦＩＤデータのみが書き込まれた状態の結果物が作成されるのを防ぐことができる。
【００５８】
また、ＲＦＩＤリーダ３３により取得されたＲＦＩＤデータの書き込みを実行させ、原稿読取部３２により取得された画像データに基づく画像形成が正常に終了しないと判断されたことを条件として、ＲＦＩＤデータの消去を実行する。これにより、ＲＦＩＤタグ３０Ａ付きの原稿３０から読み取った画像及びＲＦＩＤデータの両方の複製を作成する際に、画像が正常に形成されずに、ＲＦＩＤデータのみが書き込まれた状態の複製が作成されるのを防ぐことができる。
【００５９】
さらに、送信側複合機１０Ａから送信されたＲＦＩＤデータの書き込みを実行させた後、送信側複合機１０Ａから送信された画像データに基づく画像形成が正常に終了しないと判断されたことを条件として書き込まれたＲＦＩＤデータを消去させる。これにより、ＲＦＩＤデータのみの複製が作成されることを防止できる。
【００６０】
＜実施形態３＞
次に本発明の実施形態３について図８から図１２を参照して説明する。
本実施形態におけるファクシミリ通信システムの構成は、図１，図２と同様である。本実施形態では、受信側複合機１０ＢにおいてＲＦＩＤデータの書き込みができない場合に、送信側複合機１０Ａから画像データのみを受信側複合機１０Ｂに送信した状態で通信を終了し、その後、ＲＦＩＤデータの書き込みが可能な状態で通信を行ったときに、先の画像データに対応するＲＦＩＤデータの送信を行うものを示す。
【００６１】
（ファクシミリ送信処理）
図８は、ファクシミリ送信処理の流れを示すフローチャートである。
ファクシミリ送信処理は、送信側複合機１０Ａにおいて、ユーザが原稿載置部３１にＲＦＩＤタグ３０Ａ付きの原稿３０をセットし、ＲＦＩＤデータ付きのファクシミリ送信開始の指示を入力することにより実行される。ＣＰＵ１１は、ファクシミリ送信処理を開始すると、図８に示すように、原稿読取部３２により原稿３０の読み取りを行って画像データを取得するとともに、ＲＦＩＤリーダ３３によりＲＦＩＤタグ３０ＡからＲＦＩＤデータを読み出す（Ｓ５０１）。
【００６２】
続いて、ＣＰＵ１１は、相手側の装置（受信側複合機１０Ｂ）を呼び出し、通信を開始する（Ｓ５０２）。そして、受信側複合機１０Ｂとの間で通信能力情報の交換を行う（Ｓ５０３）。ここでは、相手の受信側複合機１０ＣからＲＦＩＤデータの受信可否情報を受け取る。そして、画像データを受信側複合機１０Ｂに送信する（Ｓ５０４）。
【００６３】
次に、ＣＰＵ１１は、受信側複合機１０ＣからＲＦＩＤデータの受信可の通知を受けている場合（Ｓ５０５）には、受信側複合機１０Ｃから送信される画像データの印刷結果通知を受信する（Ｓ５０６）。そして、画像データの印刷が正常に終了した場合（Ｓ５０７：Ｙｅｓ）には、先に送信した画像データに対応するＲＦＩＤデータを送信する（Ｓ５０８）。
【００６４】
また、受信側複合機１０ＣからＲＦＩＤデータの受信不可の通知を受けている場合（Ｓ５０５：Ｎｏ）、若しくは画像データの印刷が正常に終了しなかった場合（Ｓ５０７：Ｎｏ）には、ＲＦＩＤデータの送信を行わずに、ＲＦＩＤデータの管理番号を受信側複合機１０Ｂに送信する（Ｓ５０９）。この管理番号は、ＣＰＵ１１が固有の番号を生成しても良く、また原稿３０のＲＦＩＤタグ３０Ａに記憶された識別番号などを用いても良い。
【００６５】
続いて、ＣＰＵ１１は、Ｓ５０１にて取得した（未送信の）ＲＦＩＤデータと上記管理番号とを対応付けてＮＶＲＡＭ１４（記憶手段の一例）に記憶する（Ｓ５１０）。
その後、ＣＰＵ１１は、受信側複合機１０Ｂとの通信を終了し（Ｓ５１１）、このファクシミリ送信処理を終了する。
【００６６】
（ファクシミリ着信処理）
図９から図１１は、ファクシミリ着信処理の流れを示すフローチャートである。
このファクシミリ着信処理は、送信側複合機１０Ａ及び受信側複合機１０Ｂの双方において、相手の装置からファクシミリインターフェイス１６を介して呼び出し（着信）を受けたときに実行される処理である。
【００６７】
送信側複合機１０Ａまたは受信側複合機１０ＢのＣＰＵ１１は、ファクシミリ着信処理を開始すると、図９に示すように、相手の装置との通信を開始し（Ｓ６０１）、通信能力情報の交換を行う（Ｓ６０２）。ここでは、相手から後述するＲＦＩＤデータ送信要求を受信するか、若しくは相手からのＲＦＩＤデータ送信要求が無い場合には相手にＲＦＩＤデータの受信可否情報を通知する。
【００６８】
ＣＰＵ１１は、相手からＲＦＩＤデータ送信要求を受けた場合（Ｓ６０３：Ｙｅｓ）には、後述するＲＦＩＤデータ送信処理を実行する（Ｓ６０４）。また、相手からＲＦＩＤデータ送信要求を受けていない場合（Ｓ６０３：Ｎｏ）には、次に述べるファクシミリ受信処理を実行する（Ｓ６０５）。ここでは、前述した送信側複合機１０Ａのファクシミリ送信処理によって受信側複合機１０Ｂが呼び出され、ファクシミリ受信処理が実行されたときの動作を説明する。
【００６９】
受信側複合機１０ＢのＣＰＵ１１は、図１０に示すファクシミリ受信処理を開始すると、送信側複合機１０Ａから送信される画像データを受信する（Ｓ７０１）。続いて、ＲＦＩＤデータの受信可否情報において受信可を通知している場合（Ｓ７０２：Ｙｅｓ）には、受信した画像データの印刷を行う（Ｓ７０３）。
【００７０】
そして、ＣＰＵ１１は、画像の印刷が正常に終了した場合（Ｓ７０４：Ｙｅｓ）には、印刷が正常に終了した旨を印刷結果として送信側複合機１０Ａに通知する（Ｓ７０５）。そして、その通知を受け取った送信側複合機１０Ａから送信されるＲＦＩＤデータを受信し（Ｓ７０６）、受信したＲＦＩＤデータをＲＦＩＤライタ４０により用紙３５のＲＦＩＤタグ３５Ａに書き込む（Ｓ７０７）。また、画像の印刷が正常に終了しなかった場合（Ｓ７０４：Ｎｏ）には、印刷が正常に終了しなかった旨を印刷結果として送信側複合機１０Ａに通知する（Ｓ７０８）。
【００７１】
Ｓ７０２にて、ＲＦＩＤデータの受信不可を通知した場合（Ｓ７０２：Ｎｏ）、若しくはＳ７０４にて印刷が正常に終了しなかった旨を通知した場合には、送信側複合機１０Ａから送信されるＲＦＩＤデータの管理番号を受信する（Ｓ７０９）。そして、ＣＰＵ１１は、その管理番号と、送信元である送信側複合機１０Ａの情報（電話番号等）と、受信した画像データとを対応付けてＮＶＲＡＭ１４に記憶する（Ｓ７１０）。
その後、ＣＰＵ１１は、ファクシミリ受信処理を抜け、送信側複合機１０Ａとの通信を終了し（図９のＳ６０６）、このファクシミリ着信処理を終了する。
【００７２】
（ＲＦＩＤデータ要求処理）
図１２は、ＲＦＩＤデータ要求処理の流れを示すフローチャートである。
このＲＦＩＤデータ要求処理は、未受信のＲＦＩＤデータがある場合に画像データの送信元にＲＦＩＤデータの送信を要求する処理であって、両複合機１０Ａ，１０Ｂにおいて定期的に実行される。ここでは、受信側複合機１０Ｂにおいて実行されるＲＦＩＤデータ要求処理により、送信側複合機１０ＡにＲＦＩＤデータの送信を要求する場合を示す。
【００７３】
受信側複合機１０ＢのＣＰＵ１１は、図１２に示すＲＦＩＤデータ要求処理を開始すると、まず未受信のＲＦＩＤデータが存在するかを判断する（Ｓ８０１）。ここでは、ＮＶＲＡＭ１４にＲＦＩＤデータの管理番号が記憶されている場合に、未受信のＲＦＩＤデータが存在すると判断する。未受信のＲＦＩＤデータが存在しない場合（Ｓ８０１：Ｎｏ）には、このＲＦＩＤデータ要求処理を終了する。
【００７４】
未受信のＲＦＩＤデータが存在する場合（Ｓ８０１：Ｙｅｓ）には、続いて、ＲＦＩＤデータの受信及び書き込みが可能な状態であるかを判断する（Ｓ８０２）。ここで、例えば、ＲＦＩＤセンサ３７により供給トレイ３６にＲＦＩＤタグ３５Ａ付きの用紙３５が検知されない場合には、ＲＦＩＤデータの受信不可の状態であると判断する。ＲＦＩＤデータの受信不可の状態である場合（Ｓ８０２：Ｎｏ）には、このＲＦＩＤデータ要求処理を終了する。
【００７５】
また、ＣＰＵ１１は、ＲＦＩＤデータの受信及び書き込みが可能な状態である場合（Ｓ８０２：Ｙｅｓ）には、未受信のＲＦＩＤデータの管理番号に対応する送信元情報をＮＶＲＡＭ１４から読み出し、それに基づいて送信元である送信側複合機１０Ａを呼び出し、通信を開始する（Ｓ８０３）。そして、送信側複合機１０Ａと通信能力情報の交換を行う（Ｓ８０４）。ここでは、通信能力情報とともに、要求するＲＦＩＤデータの管理番号を含んだＲＦＩＤデータ送信要求を送信側複合機１０Ａに送信する。
【００７６】
続いて、ＣＰＵ１１は、送信要求を送信したＲＦＩＤデータに対応する画像データをＮＶＲＡＭ１４から読み出し、その画像データに基づく画像をＲＦＩＤタグ３５Ａ付きの用紙３５に印刷する（Ｓ８０５）。そして、画像の印刷が正常に終了した場合（Ｓ８０６：Ｙｅｓ）には、印刷が正常に終了した旨を印刷結果として送信側複合機１０Ａに通知する（Ｓ８０７）。そして、その通知を受け取った送信側複合機１０Ａから送信されるＲＦＩＤデータを受信し（Ｓ８０８）、受信したＲＦＩＤデータをＲＦＩＤライタ４０により用紙３５のＲＦＩＤタグ３５Ａに書き込む（Ｓ８０９）。その後、ＣＰＵ１１は、ＮＶＲＡＭ１４に記憶されたＲＦＩＤデータの管理番号、送信元情報、及び画像データを消去する（Ｓ８１０）。
【００７７】
また、Ｓ８０６にて、印刷が正常に終了しなかった場合（Ｓ８０６：Ｎｏ）には、印刷が正常に終了しなかった旨を印刷結果として送信側複合機１０Ａに通知する（Ｓ８１１）。
その後、ＣＰＵ１１は、送信側複合機１０Ａとの通信を終了し（Ｓ８１２）、このＲＦＩＤデータ要求処理を終了する。
【００７８】
（ＲＦＩＤデータ送信処理）
次に、送信側複合機１０Ａが受信側複合機１０ＢからＲＦＩＤデータ送信要求を受けた場合の動作を説明する。
【００７９】
送信側複合機１０ＡのＣＰＵ１１は、受信側複合機１０Ｂからの呼び出し（ＲＦＩＤデータ要求処理のＳ８０３）を受けて前述のファクシミリ着信処理を開始する。そして、図９のＳ６０２にて、受信側複合機１０ＢからＲＦＩＤデータ送信要求を受けた場合（Ｓ６０３：Ｙｅｓ）にはＲＦＩＤデータ送信処理を行う（Ｓ６０４）。ＲＦＩＤデータ送信処理では、図１１に示すように、受信側複合機１０Ｂから送信される画像データの印刷結果通知を受信する（Ｓ９０１）。
【００８０】
そして、受信側複合機１０Ｂにおいて画像データの印刷が正常に終了した場合（Ｓ９０２）には、ＲＦＩＤデータ送信要求に含まれる管理番号に対応するＲＦＩＤデータをＮＶＲＡＭ１４から読み出し、そのＲＦＩＤデータを送信する（Ｓ９０３）。そして、そのＲＦＩＤデータ及びその管理番号をＮＶＲＡＭ１４から消去し（Ｓ９０４）、このＲＦＩＤデータ送信処理を抜ける。その後、受信側複合機１０Ｂとの通信を終了し（図９のＳ６０６）、ファクシミリ着信処理を終了する。
【００８１】
（本実施形態の効果）
以上のように本実施形態によれば、ＲＦＩＤタグ３５Ａ付き用紙３５に対する画像形成が正常に終了すると判断された場合には、ＲＦＩＤタグ３５Ａに対するＲＦＩＤデータの書き込みを実行させ、画像形成が正常に終了しないと判断された場合にはＲＦＩＤデータの書き込みを規制する。これにより、画像が正常に形成されず、ＲＦＩＤデータのみが書き込まれた状態の結果物が作成されるのを防ぐことができる。
【００８２】
また、受信側複合機１０Ｃにおいて、ＲＦＩＤデータの書き込みが実行不能な状態であったときには、画像データを送信させた後に通信を切断し、その後、実行可能な状態で通信が再開されたときに、画像データに対応するＲＦＩＤデータをＮＶＲＡＭ１４から読み出して送信させる。これにより、受信側複合機１０Ｂで書き込みができない場合には、送信側複合機１０ＡからＲＦＩＤデータが送信されないため、受信側複合機１０ＢでＲＦＩＤデータのみが単独で利用されることを防止できる。また、画像データのみを先に受信側複合機１０Ｂに送信しておくために、送信側複合機１０Ａでは、画像データを記憶しておく必要が無く、従って記憶手段の使用量を抑えることができる。
【００８３】
＜他の実施形態＞
本発明は上記記述及び図面によって説明した実施形態に限定されるものではなく、例えば次のような実施形態も本発明の技術的範囲に含まれる。
（１）上記実施形態では、本発明をファクシミリ通信システムに適用したものを示したが、本発明は、単体の画像形成装置や、コンピュータとそれに接続されたプリンタとからなる画像形成システムなどにも適用することができる。
【００８４】
例えば、図１，図２に示す複合機１０Ａ単体でＲＦＩＤタグ３０Ａ付き原稿３０の複製を作成する場合には、ユーザが原稿３０を原稿載置部３１にセットして操作部１８から複製作成の指示を入力したときに図１３に示すような処理を実行すれば良い。この書込印刷処理では、まず原稿読取部３２により原稿３０の画像データを取得し、ＲＦＩＤリーダ３３によりＲＦＩＤタグ３０ＡのＲＦＩＤデータを取得する（Ｓ１００１）。そして、画像データに基づいて画像形成部３９によりＲＦＩＤタグ３５Ａ付きの用紙３５に画像の印刷を行い（Ｓ１００２）、印刷が正常に終了した場合（Ｓ１００３：Ｙｅｓ）には、ＲＦＩＤライタ４０によりその用紙３５のＲＦＩＤタグ３５ＡにＲＦＩＤデータを書き込む（Ｓ１００４）。印刷が正常に終了しない場合（Ｓ１００３：Ｎｏ）には、ＲＦＩＤデータの書き込みを実行しない。
【００８５】
また、例えば、複合機１０Ａが外部のコンピュータ（図示せず）からの指示をネットワークインターフェイス１５を介して受信したときに、図１３のような書込印刷処理を実行しても良い。この場合には、コンピュータから送信された画像データ及びＲＦＩＤデータを受信し（Ｓ１００１）、それらのデータに基づいて画像の印刷やＲＦＩＤデータの書き込みを行っても良い。
【００８６】
（２）上記実施形態では、ユーザが原稿載置部にセットした１枚の原稿のみを１度に読み取るものを示したが、本発明は、例えばＡＤＦ（自動原稿供給装置）を用いて、セットされた複数の原稿を順に読取位置に搬送して、画像の読み取りやデータの読み取りを行い、それらのデータに基づいて１度に複数ページ分の複製の作成を行うものにも適用することができる。
【００８７】
（３）本発明によれば、原稿の画像を複製する際には、原稿から読み取った画像に対して一部に改変を加えた画像（元の画像の一部を欠落させた画像や、元の画像に別の画像を付加した画像等）を形成しても良い。また、原稿の記憶部から取得したデータを複製する際には、そのデータの一部に改変を加えたデータ（元のデータの一部を削除したデータや、元のデータに別のデータを付加したデータ等）を書き込むようにしても良い。
【００８８】
（４）上記実施形態では、画像の印刷が正常に終了したかを判断し、正常に終了したことを条件としてＲＦＩＤデータの書き込みを行うものなどを示したが、本発明によれば、画像の印刷が終了する前であっても、印刷処理の一部が正常に終了するなど、所定の条件が満たされた場合（印刷処理が正常に終了する可能性が高い場合）に、印刷が正常に終了すると判断し、書き込みを実行するようにしても良い。
【００８９】
（５）上記実施形態では、受信側複合機において、ＲＦＩＤデータの書き込みが可能か（供給トレイにＲＦＩＤタグ付き用紙が有るか）を判断しそれに基づいてＲＦＩＤデータの受信可否情報を相手に通知するものを示したが、本発明によれば、例えば供給トレイの用紙切れや、インクやトナー切れを検知し、それに基づいて画像形成が可能かを判断してＲＦＩＤデータの受信可否情報として相手に通知しても良い。この場合、例えば実施形態３（図８〜図１２）のように受信側複合機で画像形成が不可の状態のとき（ＲＦＩＤデータの受信不可が通知されたとき）には、画像データのみを送信し、後にインク等が補充される等により画像形成が可能な状態になったときにＲＦＩＤデータの送信を要求するようにしても良い。
【００９０】
（６）上記実施形態３では、受信側複合機１０Ｃにおいて、ＲＦＩＤデータの書き込みが実行不能と判断したときには、画像データを送信させた後に通信を切断し、その後、実行書き込みを実行可能と判断したときに送信側複合機１０Ａを呼び出して通信を再開し、ＲＦＩＤデータを送信させるものをしめしたが、本発明によれば、例えば、通信を切断してから所定時間経過後に、送信側複合機１０Ａから受信側複合機１０Ｃを呼び出して通信を再開し、その時書き込みが実行可能と判断されたことを条件として、ＲＦＩＤデータを送信するようにしても良い。
【図面の簡単な説明】
【００９１】
【図１】本発明の実施形態１におけるファクシミリ通信システムの全体構成を概略的に示すブロック図
【図２】複合機の内部構成を示す概略断面図
【図３】ファクシミリ送信処理の流れを示すフローチャート
【図４】ファクシミリ受信処理の流れを示すフローチャート
【図５】実施形態２における複合機の内部構成を示す概略断面図
【図６】ファクシミリ送信処理の流れを示すフローチャート
【図７】ファクシミリ受信処理の流れを示すフローチャート
【図８】実施形態３におけるファクシミリ送信処理の流れを示すフローチャート
【図９】ファクシミリ着信処理の流れを示すフローチャート
【図１０】ファクシミリ着信処理におけるファクシミリ受信処理の流れを示すフローチャート
【図１１】ファクシミリ着信処理におけるＲＦＩＤデータ送信処理の流れを示すフローチャート
【図１２】ＲＦＩＤデータ要求処理の流れを示すフローチャート
【図１３】他の実施形態における書込印刷処理の流れを示すフローチャート
【符号の説明】
【００９２】
１０Ａ…送信側複合機（ファクシミリ送信機）
１０Ｂ，１０Ｃ…受信側複合機（ファクシミリ受信機）
１１…ＣＰＵ（制御手段、判断手段、判定手段、通信制御手段）
１４…ＮＶＲＡＭ（記憶手段）
３０…原稿
３０Ａ…ＲＦＩＤタグ（記憶部）
３２…原稿読取部（画像読取手段）
３３…ＲＦＩＤリーダ（取得手段）
３５…用紙（画像形成媒体）
３５Ａ…ＲＦＩＤタグ（記憶部）
３９…画像形成部（形成手段）
４０…ＲＦＩＤライタ（書込手段）
４５…書込用ＲＦＩＤライタ（書込手段）
４６…消去用ＲＦＩＤライタ（書込手段）
【図１】
2010154164.tif 000003
【図２】
2010154164.tif 000004
【図３】
2010154164.tif 000005
【図４】
2010154164.tif 000006
【図５】
2010154164.tif 000007
【図６】
2010154164.tif 000008
【図７】
2010154164.tif 000009
【図８】
2010154164.tif 000010
【図９】
2010154164.tif 000011
【図１０】
2010154164.tif 000012
【図１１】
2010154164.tif 000013
【図１２】
2010154164.tif 000014
【図１３】
2010154164.tif 000015